【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】  ＩＰネットワークにおいてサービスの品質（ＱｏＳ）を推定する方法であって、
少なくとも１つのアクセスルータにおいて、少なくとも２つの測定用パケットを生成するステップと、
前記少なくとも１つのアクセスルータから、複数のルータを持つ固定コアネットワークを介して通信先アクセスルータへ、後に送信元である前記少なくとも１つのアクセスルータの１つに戻ってくる前記少なくとも２つの測定用パケットを送信するステップと、
前記少なくとも２つの測定用パケットが既に通過した前記複数のルータの各々からＱｏＳパラメータを収集するために、前記少なくとも２つの測定用パケットを追跡する、少なくとも１つのコレクタパケットを送信するステップと、
前記少なくとも１つのアクセスルータにおけるＱｏＳのレベルを決定するために、前記少なくとも１つのアクセスルータの各々につき前記ＱｏＳパラメータを処理するステップと、
を備える方法。
【請求項２】  ＩＰネットワークにおけるＱｏＳを推定する方法であって、
複数の候補アクセスルータの各々から通信先アクセスルータへ、複数のルータを有する固定コアネットワークを介して、少なくとも２つの測定用パケットを送信するステップと、
前記固定コアネットワークを介して前記通信先アクセスルータまで前記少なくとも２つの測定用パケットを追跡し、かつ前記少なくとも２つの測定用パケットが通過した前記複数のルータの各々から第１のパラメータ群を収集する、順方向コレクタパケットを送信するステップと、
前記少なくとも２つの測定用パケットおよび前記順方向コレクタパケットを、前記通信先アクセスルータから送信元である前記複数の候補アクセスルータの１つに返信するステップと、
前記通信先アクセスルータから前記固定コアネットワークを介して送信元である前記複数の候補アクセスルータの１つまで前記少なくとも２つの測定用パケットを追跡し、かつ前記少なくとも２つの測定用パケットが通過した前記複数のルータの各々から第２のパラメータ群を収集する、逆方向コレクタパケットを送信するステップと、
前記複数の候補アクセスルータにおけるＱｏＳのレベルを決定するために前記順方向コレクタパケットおよび前記逆方向コレクタパケットが収集した、前記第１のパラメータ群および前記第２のパラメータ群を処理するステップ
を備えることを特徴とする方法。
【請求項３】  無線ＩＰネットワークにおいてリモート端末に対するハンドオフトリガの判断を行うためのＱｏＳ推定の方法であって、
複数の候補アクセスルータの各々において、少なくとも２つの測定用パケットを生成するステップと、
前記複数の候補アクセスルータの各々から通信先アクセスルータへ、複数のルータを有する固定コアネットワークを介して、後に送信元である前記複数の候補アクセスルータの１つに戻ってくる前記少なくとも２つの測定用パケットを送信するステップと、
前記少なくとも２つの測定用パケットが前記複数のアクセスのルータの各々から送出された後で、前記少なくとも２つの測定用パケットが通過した前記複数のルータの各々からＱｏＳパラメータを収集するために、前記少なくとも２つの測定用パケットを追跡するための少なくとも１つのコレクタパケットを送信するステップと、
前記ハンドオフトリガの判断を行うために、前記少なくとも２つの測定用パケットが通過した前記複数の候補アクセスルータの各々において前記ＱｏＳパラメータを処理するステップと
を備える方法。
【請求項４】  無線ＩＰネットワークにおいてリモート端末に対しハンドオフトリガの判断を行うためのＱｏＳ推定の方法であって、
複数の候補アクセスルータから通信先アクセスルータまで、複数のルータを有する固定コアネットワークを介して、少なくとも２つの測定用パケットを送信するステップと、
前記通信先アクセスルータまで前記固定コアネットワークを介して前記少なくとも２つの測定用パケットを追跡しかつ前記少なくとも２つの測定用パケットが通過した前記複数のルータの各々から第１のパラメータ群を収集する、順方向コレクタパケットを送信するステップと、
前記通信先アクセスルータから送信元である前記複数の候補アクセスルータの１つに戻ってくる前記少なくとも２つの測定用パケットおよび前記順方向コレクタパケットを送信するステップと、
前記通信先アクセスルータから送信元である前記複数の候補アクセスルータの１つまで前記固定コアネットワークを介して前記少なくとも２つの測定用パケットを追跡しかつ前記少なくとも２つの測定用パケットが通過した前記複数のルータの各々から第２のパラメータ群を収集する、逆方向コレクタパケットを送信するステップと、
前記ハンドオフトリガの判断を行うために、前記順方向および逆方向コレクタパケットからの前記第１のパラメータ群および第２のパラメータ群を処理するステップと、
を備える方法。
【請求項５】  前記少なくとも１つのコレクタパケットは、前記少なくとも２つの測定用パケットが前記少なくとも１つのアクセスルータから前記通信先アクセスルータへ移動する間に、前記少なくとも２つの測定用パケットが通過したルータの各々から前記ＱｏＳパラメータを収集するための順方向コレクタパケットを含むこと
を特徴とする請求項１または２のいずれかの項に記載の方法。
【請求項６】  前記少なくとも１つのコレクタパケットは、前記少なくとも２つの測定用パケットが前記通信先アクセスルータから送信元である前記少なくとも１つのアクセスルータの１つへ移動する間に、前記少なくとも２つの測定用パケットが通過した前記複数のルータの各々から、前記ＱｏＳパラメータを収集するための逆方向コレクタパケットを含むこと
を特徴とする請求項１または２のいずれかの項に記載の方法。
【請求項７】  前記少なくとも２つの測定用パケットが通過した前記複数のルータの各々において、前記少なくとも２つの測定用パケットにより測定されるキューイング遅延を記録するステップをさらに備えること
を特徴とする請求項１、３、４のいずれかの項に記載の方法。
【請求項８】  前記少なくとも２つの測定用パケットが通過した前記複数のルータの各々において、前記少なくとも２つの測定用パケットの各々の伝送時刻を記録するステップをさらに備えること
を特徴とする請求項１、３、４のいずれかの項に記載の方法。
【請求項９】  前記ＱｏＳパラメータは、前記少なくとも２つの測定用パケットが通過した前記複数のルータの各々において前記少なくとも２つの測定用パケットにより測定されるキューイング遅延の累積値を含むこと
を特徴とする請求項１または３のいずれかの項に記載の方法。
【請求項１０】  前記ＱｏＳパラメータは、前記少なくとも２つの測定用パケットが通過した前記複数のルータの各々における前記少なくとも２つの測定用パケットの各々の伝送時刻を含むこと
を特徴とする請求項１または３のいずれかの項に記載の方法。
【請求項１１】  前記ＱｏＳパラメータは、前記少なくとも２つの測定用パケットが通過した前記複数のルータの各々において前記少なくとも２つの測定用パケットにより測定される現在のキューイング遅延の累積値を含むこと
を特徴とする請求項１または３のいずれかの項に記載の方法。
【請求項１２】  前記少なくとも２つの測定用パケットは、音声トラフィックのパケットと同様の特性を有するように形成されること
を特徴とする請求項１または３のいずれかの項に記載の方法。
【請求項１３】  前記ＱｏＳパラメータは片道パケット遅延の推定に使用されること
を特徴とする請求項１に記載の方法。
【請求項１４】  前記ＱｏＳパラメータは利用可能帯域幅の推定に使用されること
を特徴とする請求項１に記載の方法。
【請求項１５】  前記ＱｏＳパラメータはパケットジッタの推定に使用されること
を特徴とする請求項１に記載の方法。
【請求項１６】  前記少なくとも１つのアクセスルータのうちのあるアクセスルータから送信された少なくとも２つの測定用パケットが既に通過した前記複数のルータの各々について、前記少なくとも１つのアクセスルータのうちの他のアクセスルータから送信されたコレクタパケットによるＱｏＳパラメータの収集を回避するステップをさらに備えること
を特徴とする請求項１または３のいずれかの項に記載の方法。
【請求項１７】  前記第１のパラメータ群および第２のパラメータ群は、前記少なくとも２つの測定用パケットが通過した前記複数のルータの各々において前記少なくとも２つの測定用パケットにより測定されるキューイング遅延の累積値を含むこと
を特徴とする請求項２または４のいずれかの項に記載の方法。
【請求項１８】  前記第１のパラメータ群および前記第２のパラメータ群は、前記少なくとも２つの測定用パケットが通過した前記複数のルータの各々における前記少なくとも２つの測定用パケットの各々の伝送時刻を含むこと
を特徴とする請求項２または４のいずれかの項に記載の方法。
【請求項１９】  前記第１のパラメータ群および前記第２のパラメータ群は、前記少なくとも２つの測定用パケットが通過した前記複数のルータの各々における現在のキューイング遅延の累積値を含むこと
を特徴とする請求項２または４のいずれかの項に記載の方法。
【請求項２０】  前記少なくとも２つの測定用パケットの各々は、音声トラフィックパケットと同様の特性を有すること
を特徴とする請求項２または４のいずれかの項に記載の方法。
【請求項２１】  前記第１のパラメータ群および前記第２のパラメータ群は、片道パケット遅延の推定に使用されること
を特徴とする請求項２または４のいずれかの項に記載の方法。
【請求項２２】  前記第１のパラメータ群および前記第２のパラメータ群は、利用可能帯域幅の推定に使用されること
を特徴とする請求項２または４のいずれかの項に記載の方法。
【請求項２３】  前記第１のパラメータ群および前記第２のパラメータ群は、パケットジッタの推定に使用されること
を特徴とする請求項２または４のいずれかの項に記載の方法。
【請求項２４】  前記少なくとも１つのアクセスルータのうちのあるアクセスルータから送信された少なくとも２つの測定用パケットが既に通過した前記複数のルータの各々について、前記少なくとも１つのアクセスルータのうちの他のアクセスルータから送信されたコレクタパケットによる前記第１のパラメータ群の収集を回避するステップをさらに備えること
を特徴とする請求項２または４のいずれかの項に記載の方法。
【請求項２５】  前記少なくとも１つのアクセスルータのうちのあるアクセスルータから送信された少なくとも２つの測定用パケットが既に通過した前記複数のルータの各々について、前記少なくとも１つのアクセスルータのうちの他のアクセスルータから送信されたコレクタパケットによる前記第２のパラメータ群の収集を回避するステップをさらに備えること
を特徴とする請求項２または４のいずれかの項に記載の方法。
【請求項２６】  前記ハンドオフトリガの判断を行う際、前記複数の候補アクセスルータの各々から前記リモート端末までの各経路に関する、少なくとも１つのレイヤ２のＱｏＳパラメータを考慮するステップをさらに備えること
を特徴とする請求項３に記載の方法。
【請求項２７】  前記ハンドオフトリガの判断を行う際、前記複数の候補アクセスルータのうち、無線ホップの信号強度が所定の閾値より低いものをハンドオフ先アクセスポイントの候補から除くステップをさらに備えること
を特徴とする請求項２６に記載の方法。
【請求項２８】  前記レイヤ２のＱｏＳパラメータは、ビット誤り率（ＢＥＲ）、フレーム誤り率（ＦＥＲ）、信号対雑音比（Ｓ／Ｎ比）、キャリア対干渉比（Ｃ／Ｉ）、受信される無線信号強度、ビット／秒でのスループット（平均、最大、最小）、ビット／秒でのグッドプット（平均、最大、最小）、フレーム損失率、フレームレイテンシ、およびフレームレイテンシ変化、から構成されるパラメータ群から選択されること
を特徴とする請求項２６に記載の方法。
【請求項２９】  前記少なくとも１つのコレクタパケットは、前記少なくとも２つの測定用パケットが前記複数の候補アクセスルータの１つから前記通信先アクセスルータまで移動する間に、前記少なくとも２つの測定用パケットが通過した前記複数のルータの各々から前記ＱｏＳパラメータを収集するための、順方向コレクタパケットを含むこと
を特徴とする請求項３に記載の方法。
【請求項３０】  前記少なくとも１つのコレクタパケットは、前記少なくとも２つの測定用パケットが前記通信先アクセスルータから送信元である前記複数の候補アクセスルータの１つまで移動する間に、前記少なくとも２つの測定用パケットが通過した前記複数のルータの各々から前記ＱｏＳパラメータを収集するための逆方向コレクタパケットを含むこと
を特徴とする請求項３に記載の方法。